(57)【要約】【解決手段】棟部材１上に配設した屋根部材２上に棟部材１の上方で棟瓦６を棟部材１の長手方向Ｘに沿って載設している。棟瓦６では、棟部材１の長手方向Ｘに対し直交する方向Ｙの両側で屋根部材２上に複数の間隔保持体（漆喰等である土台７，９や木製等の台座１０ａ，１１）と複数の熨斗瓦８，１０，１２とを交互に載設するとともに、両側の各熨斗瓦８，１０，１２のうち最上の両熨斗瓦１２の上方で冠瓦１４を木製等の台座１３を介して載設し、棟瓦６の内側で両側の各熨斗瓦８，１０，１２間に金網１６を有する芯体１５を棟部材１の長手方向Ｘに沿って配設するとともに棟瓦６の内側に発泡体接着剤である充填材１８を入れてその充填材１８内に芯体１５を埋設し、芯体１５を支える各棒状部材１７を屋根部材２を通して棟部材１に取着している。【効果】棟瓦６内の充填材１８に埋設した芯体１５を支える固定部１７の取付け強度を大きくすることができる。【選択図】図１
0003135218.tif 000002
【実用新案登録請求の範囲】
【請求項１】
棟部材上に配設した屋根部材上にこの棟部材の上方で棟瓦を棟部材の長手方向に沿って載設し、この棟瓦では、棟部材の長手方向に対し直交する方向の両側でこの屋根部材上に複数の間隔保持体と複数の熨斗瓦とを交互に載設するとともに、この両側の各熨斗瓦のうち最上の両熨斗瓦の上方で冠瓦を間隔保持体を介して載設し、この棟瓦の内側で両側の各熨斗瓦間に芯体を棟部材の長手方向に沿って配設するとともにこの棟瓦の内側に充填材を入れてその充填材内にこの芯体を埋設し、この芯体を支える固定部を前記屋根部材を通して前記棟部材に取着したことを特徴とする棟構造。
【請求項２】
前記固定部は、前記芯体及び棟部材に対し分離されて設けられた複数の棒状部材であって、この芯体及び棟部材に対し取着されて棟部材の長手方向へ並設されていることを特徴とする請求項１に記載の棟構造。
【請求項３】
前記充填材は発泡体接着剤であることを特徴とする請求項１または請求項２に記載の棟構造。
【請求項４】
前記芯体は両側の各熨斗瓦間で貫通する複数の連結孔を有し、この芯体と両側の各熨斗瓦との間に充填された前記発泡体接着剤がこの各連結孔を通じて互いにつながることを特徴とする請求項３に記載の棟構造。
【請求項５】
前記芯体は金網を有し、この金網の両側にはこの金網と両側の各熨斗瓦との間に充填された前記発泡体接着剤が接触する波形面を有していることを特徴とする請求項４に記載の棟構造。
【請求項６】
前記両側の各熨斗瓦のうち最下の両熨斗瓦を挟持する両間隔保持体はそれぞれ漆喰からなる土台であって、最下の両熨斗瓦上にある上側の両土台間に前記発泡体接着剤を充填してその発泡体接着剤内に前記芯体を埋設するとともに、最下の両熨斗瓦と前記屋根部材との間にある下側の両土台間に前記発泡体接着剤を充填してその発泡体接着剤内に前記芯体と固定部とを埋設したことを特徴とする請求項３または請求項４または請求項５に記載の棟構造。
【考案の詳細な説明】
【技術分野】
【０００１】
本考案は各種建築物の棟構造に関するものである。
【背景技術】
【０００２】
従来の棟構造においては、棟部材上の両側に配設された屋根部材上にこの棟部材の上方で棟瓦が棟部材の長手方向に沿って載設されている。この棟瓦では、この両屋根部材の上方でそれぞれ複数の間隔保持体と複数の熨斗瓦とが交互に載設されるとともに、この両側の各熨斗瓦のうち最上の両熨斗瓦の上方で冠瓦が間隔保持体を介して載設され、この棟瓦の内側で両側の各熨斗瓦間に芯体が棟部材の長手方向に沿って配設されるとともに、この棟瓦の内側に充填材が入れられてその充填材内にこの芯体が埋設されている。この芯体は、両屋根部材の垂木及び野地に対し釘により固定された固定具に支えられている。
【考案の開示】
【考案が解決しようとする課題】
【０００３】
しかし、前記固定具を両屋根部材の垂木及び野地に対し釘により固定する必要があり、固定具の取付け位置や個数が制限され、しかも両屋根部材の垂木及び野地の強度が劣るため、固定具の取付け強度が小さくなるおそれがあった。
【０００４】
この考案は、棟構造において棟瓦内の充填材に埋設した芯体を支える固定部の取付け強度を大きくすることを目的としている。
【課題を解決するための手段】
【０００５】
後記実施形態の図面（図１に示す第１実施形態、図２に示す第２実施形態、図３に示す第３実施形態）の符号を援用して本考案を説明する。
請求項１の考案にかかる棟構造は、第１〜３実施形態に対応し、下記のように構成されている。
【０００６】
棟部材１上に配設した屋根部材２上にこの棟部材１の上方で棟瓦６を棟部材１の長手方向Ｘに沿って載設している。この棟瓦６では、棟部材１の長手方向Ｘに対し直交する方向Ｙの両側でこの屋根部材２上に複数の間隔保持体７，９，１０ａ，１１と複数の熨斗瓦８，１０，１２とを交互に載設するとともに、この両側の各熨斗瓦８，１０，１２のうち最上の両熨斗瓦１２の上方で冠瓦１４を間隔保持体１３を介して載設し、この棟瓦６の内側で両側の各熨斗瓦８，１０，１２間に芯体１５を棟部材１の長手方向Ｘに沿って配設するとともにこの棟瓦６の内側に充填材１８を入れてその充填材１８内にこの芯体１５を埋設している。この芯体１５を支える固定部１７を前記屋根部材２を通して前記棟部材１に取着している。
【０００７】
請求項１の考案では、芯体１５により充填材１８の強度を高めることができるばかりではなく、一般に長手方向Ｘへ一連に延びる棟部材１に固定部１７を取着するので、棟部材１に対する固定部１７の取付け位置や個数が制限されず、しかも棟部材１の強度が大きいため、固定具を両屋根部材の垂木及び野地に固定する従来と比較して、固定部１７の取付け強度を大きくすることができる。
【０００８】
請求項１の考案を前提とする請求項２の考案において、前記固定部は、前記芯体１５及び棟部材１に対し分離されて設けられた複数の棒状部材１７であって、この芯体１５及び棟部材１に対し取着されて棟部材１の長手方向Ｘへ並設されている。請求項２の考案では、複数の棒状部材１７を利用した簡単な固定構造にすることができる。
【０００９】
請求項１または請求項２の考案を前提とする請求項３の考案において、前記充填材１８は発泡体接着剤である。請求項３の考案では、発泡体接着剤を利用して棟瓦６を軽量化することができる。
【００１０】
請求項３の考案を前提とする請求項４の考案において、前記芯体１５は両側の各熨斗瓦８，１０，１２間で貫通する複数の連結孔を有し、この芯体１５と両側の各熨斗瓦８，１０，１２との間に充填された前記発泡体接着剤がこの各連結孔を通じて互いにつながる。請求項４の考案では、各連結孔を有する芯体１５により充填材１８の強度をより一層高めることができる。
【００１１】
請求項４の考案を前提とする請求項５の考案において、前記芯体１５は金網１６を有し、この金網１６の両側にはこの金網１６と両側の各熨斗瓦８，１０，１２との間に充填された前記発泡体接着剤が接触する波形面を有している。請求項５の考案では、金網１６の波形面により充填材１８との接触面積が増し、連結孔としての各網孔と相俟まって、充填材１８の強度をより一層高めることができる。
【００１２】
請求項３または請求項４または請求項５の考案を前提とする請求項６の考案において、前記両側の各熨斗瓦８，１０，１２のうち最下の両熨斗瓦８を挟持する両間隔保持体はそれぞれ漆喰からなる土台７，９であって、最下の両熨斗瓦８上にある上側の両土台９間に前記発泡体接着剤を充填してその発泡体接着剤内に前記芯体１５を埋設するとともに、最下の両熨斗瓦８と前記屋根部材２との間にある下側の両土台７間に前記発泡体接着剤を充填してその発泡体接着剤内に前記芯体１５と固定部１７とを埋設した。請求項６の考案では、発泡体接着剤の容積が増えて棟瓦６をより一層軽量化することができる。
【考案の効果】
【００１３】
本考案は、棟構造において棟瓦６内の充填材１８に埋設した芯体１５を支える固定部１７の取付け強度を大きくすることができる。
【考案を実施するための最良の形態】
【００１４】
まず、本考案の第１実施形態にかかる棟構造について図１を参照して説明する。
木材からなる棟部材１の長手方向Ｘに対し直交する方向Ｙの両側には、垂木３と野地４と瓦５とからなる屋根部材２が配設され、その両屋根部材２の内端部が棟部材１上で相対向している。この両屋根部材２の内端部上にこの棟部材１の上方で棟瓦６が棟部材１の長手方向Ｘに沿って上下方向Ｚへ載設されている。
【００１５】
この棟瓦６は、この両屋根部材２の上方で間隔保持体としての土台７を介して載設された最下両熨斗瓦８と、この最下両熨斗瓦８の上方で間隔保持体としての土台９を介して載設された中間両熨斗瓦１０群と、この中間両熨斗瓦１０群の上方で間隔保持体としての木製台座１１を介して載設された最上両熨斗瓦１２と、この最上両熨斗瓦１２の上方で間隔保持体としての木製台座１３を介して載設された冠瓦１４とを備えている。これらの土台７，９は漆喰であって、例えば南蛮漆喰やモルタル漆喰などを挙げることができる。例えば炭酸カルシウムや砂等の骨材や麻づた等の繊維や水及び硬化遅延剤などを含有するモルタル材料を養生硬化させたモルタル漆喰を採用すると、耐候性に優れているとともに圧縮強度等の強度が高い。この中間両熨斗瓦１０群では、間隔保持体としての複数の木製台座１０ａと複数の中間両熨斗瓦１０とが交互に載設されている。
【００１６】
この棟瓦６の内側に形成された空間で両側の各熨斗瓦８，１０，１２間に芯体１５が棟部材１の長手方向Ｘに沿って配設されている。この芯体１５には金網１６が張られている。この金網１６は、両側の各熨斗瓦８，１０，１２間で貫通する多数の連結孔としての網孔（図示せず）を有しているとともに、両側全体に波形面（図示せず）を有している。この芯体１５及び前記棟部材１に対し分離されて設けられた固定部としての棒状部材１７（杭）は前記両屋根部材２間に挿通され、その棒状部材１７（杭）の下端部が棟部材１に打ち込まれて取着されているとともに、その棒状部材１７（杭）の上端部がこの芯体１５の下端部に針金等により縛られて取着されている。
【００１７】
前記棟瓦６の内側に形成された空間には発泡体接着剤である充填材１８が注入され、その充填材１８内に前記芯体１５が埋設されている。この芯体１５と両側の各熨斗瓦８，１０，１２との間に充填された発泡体接着剤は、前記金網１６の各網孔（図示せず）を通じて互いにつながっている。この金網１６の両側全体にある波形面（図示せず）はこの発泡体接着剤に接触している。最下の両熨斗瓦８上にある上側の両土台９間に発泡体接着剤が充填されてその発泡体接着剤内に芯体１５が埋設されているとともに、最下の両熨斗瓦８と両屋根部材２との間にある下側の両土台７間に発泡体接着剤が充填されてその発泡体接着剤内に芯体１５と棒状部材１７（杭）とが埋設されている。この発泡体接着剤としては、各瓦８，１０，１２，１４の接合に用いられるものであれば特に限定されないが、単一成分または複数成分のポリウレタン発泡体接着剤などを採用することが好ましい。
【００１８】
図２に示す第２実施形態の棟構造においては、芯体１５の下端部に針金等により縛られて取着された棒状部材１７（雄ねじ棒）が棟部材１に螺着されている。
図３に示す第３実施形態の棟構造においては、多数の連通孔を形成する各横木と各縦木とにより芯体１５が格子状に形成され、その芯体１５の下端部に針金等により縛られて取着された棒状部材１７（金属棒）が金属製棟部材１に溶着され、最下の両熨斗瓦８と両屋根部材２との間にある下側の両土台７が互いにつながれてその土台７内に芯体１５と棒状部材１７（金属棒）とが埋設されている。
【００１９】
なお、図示しないが、芯体１５の下端部から一体的に延びる板状の固定部を両屋根部材２間に挿通して棟部材１に取着してもよい。
【図面の簡単な説明】
【００２０】
【図１】（ａ）は第１実施形態にかかる棟構造を示す一部切欠き斜視図であり、（ｂ）は同じく部分断面図である。
【図２】第２実施形態にかかる棟構造を示す部分断面図である。
【図３】第３実施形態にかかる棟構造を示す部分断面図である。
【符号の説明】
【００２１】
１…棟部材、２…屋根部材、６…棟瓦、７，９…間隔保持体としての土台、８，１０，１２…熨斗瓦、１０ａ，１１，１３…間隔保持体としての台座、１４…冠瓦、１５…芯体、１６…芯体の金網、１７…固定部としての棒状部材、１８…充填材１８、Ｘ…棟部材の長手方向、Ｙ…棟部材の長手方向に対し直交する方向。
【図１】
0003135218.tif 000003
【図２】
0003135218.tif 000004
【図３】
0003135218.tif 000005